(57)【要約】  【課題】２本の刃体が枢着され、前記刃体の少なくとも一本が櫛歯と櫛溝とを交互に設けた櫛刃体である梳鋏であって、頭髪を梳く時には、局所的な髪梳きが容易に行える梳鋏を提供することにある。  【解決手段】梳鋏において、髪を梳き切るための刃を、２本の刃体の長手の先端側に設けると共に、刃の設けられていない刃体の長手の基端側は、梳鋏を開いた時に互いに向かい合う側の外縁形状が、梳鋏を閉じることにより合わさって刃体の表裏方向に貫通する穴部を成す様に形成した。  【選択図】図１
2006191940.tif 000002
【特許請求の範囲】
【請求項１】
２本の刃体が枢着され、前記刃体の少なくとも一本が櫛歯と櫛溝とを交互に設けた櫛刃体である梳鋏であって、
髪を梳き切るための刃を、前記２本の刃体の長手の先端側に設けると共に、
前記刃の設けられていない前記刃体の長手の基端側は、梳鋏を開いた時に互いに向かい合う側の外縁形状が、梳鋏を閉じることにより合わさって前記刃体の表裏方向に貫通する穴部を成す様に形成されることを特徴とする梳鋏。
【請求項２】
櫛刃体の少なくとも一番基端寄りの櫛歯が、
他の櫛歯の先端よりも突き出て形成されると共に、前記基端寄りの櫛歯の刃先を刃裏側から研磨して形成された受け面を設け、
前記受け面は梳鋏を閉じる時に相手刃先を受けて前記櫛歯の刃裏に案内する案内歯であることを特徴とする請求項１記載の梳鋏。
【請求項３】
受け面が、基端側に向けて設けられたことを特徴とする請求項１又は２記載の梳鋏。
【請求項４】
案内歯の刃先形状が傾斜形状に形成されることにより、髪を切らずに案内歯から逃がすことのできる様に形成されたことを特徴とする請求項１〜３のいずれか記載の梳鋏。
【発明の詳細な説明】
【技術分野】
【０００１】
この発明は、理美容用鋏の一種である梳鋏の改良に関する。
【背景技術】
【０００２】
梳鋏は、髪を梳く時に用いられるものであり、２本の刃体が枢着されている。この２本の刃体は、一般には、図１５に示す様に一方の刃体が櫛刃体５１であり、他方の刃体が棒刃体５２である。櫛刃体５１は櫛歯５３と櫛溝５４とが交互に設けられており、棒刃体５２は狭い幅５５の刃体５２で、刃先は直線刃５６となっている（特許文献１参照）。
【特許文献１】特開平９−１４０９５３号公報
【０００３】
この梳鋏５０で髪を梳く時は、髪の束を手や櫛で頭髪から取り出す様にして、この毛束を梳鋏で梳き切るのである。この様に、梳鋏は髪を梳いて髪の量を減らすのがその機能である。ただ、最近はヘアースタイルに様々な工夫が成され通り、特に女性のヘアースタイルに関しては、この髪の量の加減に、微妙な変化を求める様になってきている。
【０００４】
例えば、単に伸びた髪の量を減らす為だけではなく、或いは髪を大雑把に取り出して梳くのではなく、梳く髪の位置を頭髪の中からピンポイントに狙って、髪の一部分だけを梳くことが美容技術として重要になってきている。具体的には、図１６に示す様に、頭部から取り出した帯状毛束５７に対し、その一部（図１６の５８など）だけを梳きたい場合がある。
或いは、頭髪の中の小さな場所を狙い、その髪だけを摘んで小さな毛束にして頭部から引き出し、この毛束を梳き過ぎない様に少しづつ梳きながら、髪型全体を女性のおしゃれにマッチしたヘアースタイルに仕上げてゆくのである。
【０００５】
この様な細かく少しづつ仕上げてゆく場合には、一般に梳鋏の先端側を用いるのであり、切り過ぎない様に梳鋏先端を細かく使って、仕上がりを確認しながら作業を進めてゆくのである。
【０００６】
なお本願発明に関係する、この鋏の一般的な技術を説明しておく。
（カット鋏の刃裏の受け面）：理美容鋏のカット鋏は２本の刃体が共に直線刃になっているが、このカット鋏の刃先は、図１７は鋏を開いた時の刃体の断面図であるが、この図に示す様に鋭利な刃先５９，５９が互いに向かい合っている。ただ本当に刃先５９，５９が向かい合っていると、互いの鋭利な刃先５９，５９が噛み合って鋏が閉じにくくなり、また刃先５９，５９が破損してしまう。従って実際には、図１８に示す様に刃先６２の刃裏６０側を僅かに研磨して、刃先６２の刃裏６０側に相手の刃先を受ける為の微小な受け面６１が設けてある。これにより刃先６２，６２同士が噛み合うことを無くし、刃先６２，６２が保護された状態で使用することができるのである。
【０００７】
（梳鋏の櫛歯の受け面）：この様な問題は梳鋏も同様であり、図１９に示す様に梳鋏の櫛歯６３も、刃先の刃裏側を僅かに研磨して受け面６４が設けてある。なお櫛歯６３の先端は端面６５になっていて、この端面６５と受け面６４との稜線部分６６が刃になっており、他方の棒刃体だけが、カット鋏と同様に鋭利な刃先になっている。又この櫛歯６３の先端には、髪を捉える溝６７が設けられているのが一般的であるが、この櫛歯６３を研ぐとこの溝６７が消失してしまうので、櫛歯６３は研がないものである。或いは、溝６７がない櫛歯であっても、１本々々の櫛歯を均一に研ぐのは困難であり、その為に研がなくてもいい様に、櫛歯の先端が切り落とされた様な端面６５になっていているのであり、棒刃だけを鋭利な刃先にしてあるのである。ただこの様に、棒刃の「鋭利な刃」か櫛歯の「端面状の刃」かの違いがあっても、刃先同士の噛み合う問題は同じなので、櫛歯もその刃裏側を研いで図２０に示す様に受け面６４が設けてある。
【０００８】
（梳鋏の櫛溝による引っ掛かり）：ただ刃先同士の噛み合わせについては、梳鋏には、もう一つ梳鋏特有の問題がある。それは櫛歯が一本々々独立していて、櫛歯の間に櫛溝があるために、鋏を閉じる時には棒刃体の刃先が、図２１に示す様に、僅かではあるがこの櫛溝５４に嵌ってしまうことである。この様に棒刃体５５の直線刃５６が櫛溝５４に嵌るとは、言い換えるとその櫛溝５４の向こう隣の櫛歯５３（図２１の６８参照）に刃先５６が引っかかることであり、これが梳鋏の閉じ操作を妨げる原因となっている。ただ櫛歯５３への引っかかりが微小であるため、引っかかりを無視して強く閉じれば閉じることはできるが、棒刃の直線刃５６を傷付けてしまう。その為、櫛歯５３の受け面６４の研磨を深くすることにより、受け面６４の先端６４ａを刃表６８側に後退させ（図２２の符号Ｄ）、これにより櫛溝に入ろうとする棒刃をこの深い受け面６４で受けて、引っかかりを無くしている。
【０００９】
（刃先同士の交点と交点の移動）：通常の鋏であれば、鋏を開いた状態であっても、図２３に示す様な２本の刃体７０，７０は刃先が触れ合った状態（図２３のＰ）になっている。この触れ合っている点を交点Ｐと呼ぶが、鋏を閉じる時にはこの交点Ｐが、閉じるに連れて先端７１側へと連続的に移動するのである。
この点、梳鋏の場合は、細かく見れば櫛歯と櫛歯の間に櫛溝があるので、この交点はこの櫛溝で不連続に移動することとなる。ただ、この櫛溝は狭いので小さな不連続であるとして無視すれば、大局的に見て、梳鋏を開いた状態から閉じ切るまでの交点の移動は、梳鋏の場合も概ね連続的に移動していると云うことができる。
【００１０】
（刃体の湾曲と側圧）：鋏は、図２４に示す様に、刃体７０の刃裏７２が、長手方向に僅かに凹状に湾曲している。これは図２５に示す様に、鋏は互いに、刃先の刃裏７２同士の押し合う力Ａ（これを「側圧」という）が必要だからであり、湾曲はこの側圧Ａを得るためのものである。つまり、湾曲した刃裏７２を向かい合わせて、図２４中のＢに示した様に、刃体７０，７０を枢着ネジ７３で締めると、交点Ｐでは側圧Ａが掛かり、互いに相手刃体側に押し合っているのである。この側圧Ａがないと、髪を切る時、刃裏７２と刃裏７２との間７４に髪が挟まってしまうことがあるからである。図２６は、図２４と同じアングルで、刃体７０を線で略示したものであるが、側圧があると、開いた状態の時の図２６（ａ）に示す様に、交点Ｐは基端寄りとなるが、この交点Ｐは鋏を閉じるに従って先端７１方向に移動し、同図（ｂ）の状態を経て、最終的に閉じた時の同図（ｃ）の様に、交点Ｐが先端７１に到達した状態になるのである。閉じる最中の刃体７０は、湾曲により、その交点Ｐから先端側７５が、同図（ａ）〜（ｂ）に示す様に、相手刃体側に入り込んだ状態になるのである。
【発明の開示】
【発明が解決しようとする課題】
【００１１】
梳鋏は、髪を大雑把に取り出して単に梳くだけではなく、髪の一部分をピンポイントに狙って、梳鋏の先端だけで梳く用いられ方をされている。最近では、この様な少しづつ梳いて仕上げてゆくことが、理美容技術に求められてきているのである。
ただこの様に注意をして梳鋏の先端だけで作業を進めようとしても、狙った毛束の周辺にある髪も、間違って切ってしまうことがある。技術の高い美容師であればその様な間違いはなくなるが、それでも周辺の髪を切らない様にするには手間や注意が必要である。
【００１２】
以上の問題を鑑み、本願発明の目的とするところは、局所的な髪梳きが容易に行える梳鋏を提供することにある。
【課題を解決するための手段】
【００１３】
以上の課題を解決するため本願発明は、２本の刃体が枢着され、前記刃体の少なくとも一本が櫛歯と櫛溝とを交互に設けた櫛刃体である梳鋏であって以下の特徴を有するものである。
即ち請求項１記載の発明では、髪を梳き切るための刃を、前記２本の刃体の長手の先端側に設けると共に、前記刃の設けられていない前記刃体の長手の基端側は、梳鋏を開いた時に互いに向かい合う側の外縁形状が、梳鋏を閉じることにより合わさって前記刃体の表裏方向に貫通する穴部を成す様に形成されることを特徴とする梳鋏。
【００１４】
これにより、髪は、梳鋏の先端部分だけで梳くことができる。また、閉じる時に基端寄りで挟まれる状態の髪は、梳鋏を閉じても、刃がないので切られることはない。しかも刃体を閉じても、閉じた２本の刃体の間には穴部が出現するので、髪がここに入り、実際には梳鋏で髪を挟んで掴んでしまうということはない。よって例えば、閉じた梳鋏をそのまま髪から引き抜く場合にも、髪は梳鋏の基端側には挟まってはいないので、抜くことができるのである。
【００１５】
ところで、通常の鋏であれば、鋏を開いた状態であっても、図２３に示す様に、２本の刃体は刃先が交点Ｐで触れ合った状態になっている。しかし請求項１記載は梳鋏を開き切った状態では、上述した様な交点Ｐが存在せず（図１参照）、梳鋏を閉じ操作して、一番基端寄りの櫛歯が棒刃と噛み合う時に、始めて交点が出現するのである（図９の符号Ｐ参照）。この場合問題となるの、最初に噛み合った時点ですでに側圧が必要なため、最初の交点になる刃先同士は、互いに相手刃体側に入り込んだ位置状態となっており、その為に、棒刃が櫛歯の受け面から刃表側に外れ、刃先同士が引っかかって、閉じ難い、或いは閉じれなくなってしまうという問題が生じる場合もあるのである。この様に従来の梳鋏であれば、梳鋏を開き切った時から、互いの刃先（櫛歯と棒刃）が交点で側圧を受けながら接触しており、閉じる途中でも側圧に抗しながら交点が連続的に移動することにより滑らかな閉じ操作が実現していたが、請求項１記載の梳鋏では、製造時の仕上げ調整の具合にもよるが、棒刃が櫛歯の受け面から刃表側に外れ引っかかり、その滑らかさを失う可能性が出てくるのである。そのために本願では更に下記の発明を提案した。
【００１６】
即ち、請求項２記載の発明では、請求項１記載の梳鋏において、櫛刃体の少なくとも一番基端寄りの櫛歯が、他の櫛歯の先端よりも突き出て形成されると共に、前記基端寄りの櫛歯の刃先を刃裏側から研磨して形成された受け面を設けたものである。そして、前記受け面は梳鋏を閉じる時に相手刃先を受けて前記櫛歯の刃裏に案内する案内歯であることを特徴としている。
【００１７】
梳鋏を閉じる時には、一番基端寄りの櫛歯が、相手刃体と最初に噛み合うのであるが、請求項２記載の発明によれば、その噛み合いがスムーズ行える。尚、相手刃体（例えば棒刃）の刃先にも受け面が設けられているのが通常である。しかし受け面同士が当接しただけでは、図２７の実線８０で示す様に、まだ互いに相手刃体に入り込んだ状態である。そしてさらに閉じると、相手刃体とは、図２７の破線８１で示す様に、受け面同士ではなく刃裏同士が押し返し合って、相手刃体に入り込まない状態になっている。これにより、次の櫛歯が交点となる時には、互いに相手刃体への入り込みが小さく、よって引っ掛かりの少ない状態となるのである。
尚ここで、入り込んだ相手刃体を押し返すのは、受け面であるため、受け面の傾斜の長さが押し返す量に関連する。よって、相手刃体の入り込みが大きい場合には、１本目の案内歯で半分押し返し、２本目で残りの半分を押し返し、３本目が突き出ていない通常の櫛歯となる様にしてもよい。この様に、突き出して形成された案内歯は、１〜３本などと、適宜に決めればよい。
【００１８】
請求項３記載の発明では、請求項１又は２記載の梳鋏において、受け面が、基端側に向けて設けられたことを特徴とする（図４の符号１８参照）。
櫛歯が、最初に相手刃体に接触するのは、櫛歯基端側である。よって受け面をこの基端側に向けることにより、相手刃体を確実に受けることができる様になるのである。
【００１９】
請求項４記載の発明は、請求項１〜３のいずれか記載の梳鋏において、案内歯の刃先形状が傾斜形状に形成されることにより（図１２の符号２９〜３１参照）、髪を切らずに案内歯から逃がすことのできる様に形成されたことを特徴とする。
これにより、梳鋏を閉じる時の最初の交点での閉じ抵抗が軽減される。一般に髪を切る時には、切断の抵抗が閉じ難さとして手に感じられる。ただそれは、通常の梳鋏では気にならない程度であるが、本願梳鋏の様に、閉じる途中で突然交点が出現する本願梳鋏では、最初の噛み合わせに負荷が掛かりやすい状況にある。そんな状況において、本請求項４においては、案内歯を単に相手刃体を受けるためだけで、切断の機能を持たせない様にしたので、最初の交点での閉じ抵抗を少なくすることができるのである。
【発明を実施するための最良の形態】
【００２０】
次ぎに本願発明の実施形態を、図をもって説明する。
図１〜２に示すこの梳鋏１は、櫛刃体２と棒刃体３の２本の刃体が枢着されたものであり、また櫛刃体２は櫛歯４と櫛溝５とを交互に設けたものである。
またこれら櫛刃体２と棒刃体３は、髪を梳き切るための刃が、共に刃体２，３の長手の先端６側に設けられている。つまり櫛刃体２は櫛歯４が、棒刃体３は直線刃７がそれぞれの先端６側に設けられている。また刃体２，３の基端８側はこの様な刃は設けられていないが、この基端８側は、梳鋏１を開いた時に互いに向かい合う側９，１０の外縁形状が切り欠かれた形状になり、刃体の背１１，１２側だけが残された形状になっている。その為、梳鋏１を閉じて刃体２，３の先端６側が重なった時には、図２に示す様に、基端８側はこの切り欠かれた形状が合わさって穴部１３を形成するのであり、この穴部１３は閉じて重なった刃体（櫛刃体２と棒刃体３）の表裏方向に貫通した状態となるのである。
【００２１】
また櫛刃体２の櫛歯４は、図３に示す様に、基端８寄りの２本の櫛歯４，４が他の櫛歯４よりも突き出して０．７〜０．８ｍｍ程度長くして案内歯１４，１５にしてある。そして図４に示した様に、他の櫛歯４と同様に案内歯１４，１５の先端側の刃裏１６側が研磨され、棒刃に対する受け面１７が設けられている。ただ研磨の際には、櫛歯４を一本々々研磨するのではなく、案内歯１４，１５を含めた全ての櫛歯４を一つの砥石で一度に研磨して受け面１７を設けている。そのため図４〜５に示す様に、基端８寄りの長い案内歯１４，１５だけは、長い分だけたくさん研磨され、案内歯１４，１５の受け面１７，１７の後退量Ｄ１は、他の櫛歯の後退量Ｄ２よりも大きくなっている。
更に、一番基端寄りの案内歯１４だけは、受け面１７の基端寄りの上角が、図４に示した様に面取りしてあり、これにより基端に向けられた受け面１８を設けてある。
ただ面取りをすると受け面１７，１８に稜線ができ、相手側の受け面を傷付ける場合もあるので、実際には研磨布などにより研磨して、図６に示す様な丸味のある受け面１９を基端に向けて形成するのがよい。
【００２２】
以上の梳鋏により、髪を梳く時には、図７に示す様に、頭髪１９の中に梳鋏１の先端を差し入れ、目的の毛束を梳くことができる。この時、梳鋏１の基端８側に挟まれた髪は穴部１３に入るので切られることもなく、目的の毛束だけを梳くことができる。或いは、図８に示す様に、頭部から取り出した帯状毛束２０に対し、その一部だけ（図８の２１など）を梳くことができる。この様に、先端６側の櫛歯だけで毛束だけを狙って挟めば、その周囲の髪を間違って挟んでも、穴部１３がある為に余分に梳くこともなく、梳く場所をピンポイントで狙うことが容易になる。必要であれば、櫛歯の並び幅をもっと狭くし、梳く場所を更に狭くすることもできる。
【００２３】
またこの梳鋏１は、穴部１３の存在により、梳鋏１を開いた時には交点がなく、図９に示す様に、閉じる途中で突然交点Ｐが出現することとなる。この交点Ｐで、始めて接触する双方の刃先２，３は、互いに相手刃体３，２側に入り込んだ位置関係となっている。しかし櫛刃体２側の最初の交点Ｐとなる箇所には案内歯１４が設けられているので、入り込んだ状態で接触する棒刃体３の刃先を受け面１７，１８で受けることができる。またこの案内歯１４の受け面１８は少し基端８側に向けられているので、相手の刃を受けるのに好適な向きとなっていて、交点Ｐでの刃先同士のぶつかり合いなどの、閉じ抵抗となる要素を抑えることができ、スムーズな噛み合わせで閉じることができる。
【００２４】
（実施例２）なお、基端寄りの案内歯は、実施例１の様は突き出させずに、図１０の様に他の櫛歯４と同様の長さの案内歯２３〜２５にしておき、その代わりに、受け面２６の後退Ｄ３を大きく設ける様にしてもよい。この場合、図１１に示す様に、基端寄りの３本の案内歯２３〜２５の受け面２６〜２８を基端側に向けさせ、後退量も大きくて設けてある。この受け面２６〜２８は、研磨布で丸味を持たせてある。この様な案内歯２３〜２５は、一番基端寄りの案内面２６が、一番後退（符号Ｄ３）して設けられ、二番目、三番目の案内歯２７，２８になるにつれて、次第にその後退（符号Ｄ４〜Ｄ５）が浅くなり、四番目からは案内歯ではなく通常の櫛歯４になっている。これにより閉じ操作により最初の噛み合わせの時にも、深く入り込んだ棒刃体３の刃先を、一番目の大きく後退した受け面２６で受けることができ、受けた刃先を２番目の少し浅い後退量の受け面２７に導くことができ、三番の受け面２８をへて、通常の櫛歯４に引き継ぐことができる。これにより、通常の梳鋏と同様のスムーズな閉じ操作が可能となるのである。
【００２５】
（実施例３）図１２に示す実施例３の梳鋏は、基端寄りの案内歯が他の櫛歯よりも突き出して長くしてある点が、実施例１の梳鋏と同様である。また案内歯先端の刃裏に受け面が設けられている点も同様である。相違点は、突き出させてある案内歯２９〜３１先端の刃先形状が、刃体の先端６側に傾斜した湾曲形状になっている点である。この様な傾斜した湾曲形状であると、この案内歯２９〜３１の先端では髪が滑って逃げるために、切ることができなくなる。その為に、棒刃体との交点がこの案内歯２９〜３１にある時には、梳鋏の閉じ操作に関する閉じ抵抗が軽くなる。つまり髪を切る時には、必ず切断抵抗が生じ、鋏の閉じ操作をする手に負荷が掛かるものである。ただ通常は支障にならない程度の負荷なのである。しかし本願発明の梳鋏は、閉じる途中で突然に交点が出現するので、その分、閉じ抵抗が大きくなる傾向がある。その為に実施例１〜２でも例を示した様に種々の工夫が成されているが、これらに加え、案内歯では髪を切らない様にし、切断抵抗をなくする様にしたのである。これにより、刃先同士のぶつかり合いによる抵抗を弱めただけでなく、切断抵抗も無くしたので、最初の交点での閉じ抵抗が一層軽減され、よりスムーズな閉じ操作が可能となるのである。
【００２６】
（実施例４）図１３〜１４に示す実施例４の梳鋏３２は、櫛刃体３３と棒刃３４体を枢着した点は、実施例１と同様であるが、櫛刃体３３だけは基端８寄りの約半分が切り欠かれており、棒刃体３４の方は切り欠かれていない。櫛刃体３３の切り欠き３５に対応する棒刃体３４の箇所３６は、単に板状になっていて、刃付けはしてない。
この梳鋏３２を閉じると図１４の様に穴部３７ができ、この穴部３７に入った髪は切られることも、挟んで掴まれることもない。
【００２７】
なお本願発明は上記実施例に限るものではなく、発明の趣旨を逸脱しない範囲で、どの様に実施されてもよい。
【図面の簡単な説明】
【００２８】
【図１】この図は、実施例１の梳鋏を開いた図である。
【図２】この図は、図１の梳鋏を閉じた図である。
【図３】この図は、案内歯を説明する図である。
【図４】この図は、櫛歯や櫛歯の一部である案内歯に設けられた受け面を説明する図である。
【図５】この図は、受け面の図である。
【図６】この図も、受け面の図である。
【図７】この図は、実施例１の梳鋏の用い方の図である。
【図８】この図も、梳鋏の用い方の図である。
【図９】この図は、最初の交点の説明の図である。
【図１０】この図は、実施例２の梳鋏を開いた図である。
【図１１】この図は、受け面の図である。
【図１２】この図は、実施例３の梳鋏の案内歯を説明する図である。
【図１３】この図は、実施例４の梳鋏を開いた図である。
【図１４】この図は、図１３の梳鋏を閉じた図である。
【図１５】この図は、従来の一般的な梳鋏を開いた図である。
【図１６】この図は、髪を部分的に梳く様子の説明図である。
【図１７】この図は、従来のカット鋏を開き、その刃体同士が向かい合った図である。
【図１８】この図は、従来のカット鋏の刃先には受け面が設けてあることを説明する図である。
【図１９】この図は、従来の梳鋏の櫛歯の先端を説明する図である。
【図２０】この図は、梳鋏を開いた時の、棒刃と櫛刃の向かい合う様子と、両方の刃体に受け面が設けてある様子の説明図である。
【図２１】この図は、従来の梳鋏は閉じる時に棒刃が櫛歯に引っかかる、と云うことを説明する図である。
【図２２】この図は、櫛歯の受け面を説明する図である。
【図２３】この図は、従来のカット鋏における交点の特性を説明する図である。
【図２４】この図は、カット鋏の側圧を説明する図である。
【図２５】この図も、側圧を説明する図である。
【図２６】この図は、交差する刃体の先端側が、相手刃体の側に入り込む様子の説明図である。
【図２７】この図は、鋏を閉じる時には、刃体が噛み合う前後で、刃体の入り込みま位置関係が変わることを説明する図である。
【符号の説明】
【００２９】
１  梳鋏
２  櫛刃体
３  棒刃体
４  櫛歯
５  櫛溝
６  刃体（櫛刃体及び棒刃体）の先端
７  棒刃体の直線刃
８  刃体の基端
９、１０    刃体の基端側の部位であって、梳鋏を開いた時に向かい合う側
１１、１２  刃体の背
１３  穴部
１４、１５  案内歯
１６  刃裏
１７、１８、１９  受け面
２３、２４、２５  案内歯
２９、３０、３１  案内歯
３２  梳鋏
３３  櫛刃体
３４  棒刃体
３５  切り欠き
３７  穴部
【図１】
2006191940.tif 000003
【図２】
2006191940.tif 000004
【図３】
2006191940.tif 000005
【図４】
2006191940.tif 000006
【図５】
2006191940.tif 000007
【図６】
2006191940.tif 000008
【図７】
2006191940.tif 000009
【図８】
2006191940.tif 000010
【図９】
2006191940.tif 000011
【図１０】
2006191940.tif 000012
【図１１】
2006191940.tif 000013
【図１２】
2006191940.tif 000014
【図１３】
2006191940.tif 000015
【図１４】
2006191940.tif 000016
【図１５】
2006191940.tif 000017
【図１６】
2006191940.tif 000018
【図１７】
2006191940.tif 000019
【図１８】
2006191940.tif 000020
【図１９】
2006191940.tif 000021
【図２０】
2006191940.tif 000022
【図２１】
2006191940.tif 000023
【図２２】
2006191940.tif 000024
【図２３】
2006191940.tif 000025
【図２４】
2006191940.tif 000026
【図２５】
2006191940.tif 000027
【図２６】
2006191940.tif 000028
【図２７】
2006191940.tif 000029